【手続補正書】
【提出日】平成16年9月17日(2004.9.17)
【手続補正１】
【補正対象書類名】明細書
【補正対象項目名】特許請求の範囲
【補正方法】変更
【補正の内容】
【特許請求の範囲】
【請求項１】
インターネット及びファクシミリ通信回線に接続されてなる情報サーバ装置を介して情報を提供する情報提供システムであって、
上記情報サーバ装置は上記ファクシミリ通信回線を介して送られるファクシミリデータを受信する受信手段と、
上記受信手段により受信されたファクシミリデータからインターネット上で提供する情報を、情報を取得すべきファクシミリデータの範囲を定めた領域情報に基づいて取得する提供情報取得部を有する抽出手段と、
上記抽出手段の提供情報取得部により取得された情報をインターネット上で提供するためのデータを作成する作成手段と、
上記作成手段により作成されたデータを格納する記憶手段と、を備えてなることを特徴とする情報提供システム。
【請求項２】
上記情報サーバ装置は上記領域情報を上記ファクシミリデータの発信者と関連づけて格納してなるデータベースを備えてなり、
上記抽出手段は上記受信手段により受信されたファクシミリデータから該ファクシミリデータの発信者を特定するための識別情報を取得する識別情報取得部と、
上記識別情報取得部により取得された識別情報に対応した領域情報を上記データベースを参照することにより取得する領域情報取得部と、を備えてなることを特徴とする請求項１に記載の情報提供システム。
【請求項３】
上記抽出手段は上記受信手段により受信されたファクシミリデータから上記領域情報を修正するための位置情報を取得する位置情報取得部と、
上記位置情報取得部により取得された位置情報を該ファクシミリデータに対応して予め定められた基準位置情報と比較することによって上記領域情報を修正する領域情報修正部と、を備えてなることを特徴とする請求項１または２に記載の情報提供システム。
【請求項４】
上記抽出手段は上記受信手段により受信されたファクシミリデータから該ファクシミリデータの目的を示す目的情報を取得する目的情報取得部を備えてなり、  上記作成手段は上記目的情報取得部において取得された目的情報が情報の削除を示すものであれば、該ファクシミリデータの受信時においてインターネット上で提供している情報のうち該発信元に対応する情報以外の情報をインターネット上で提供するための所定の形式からなるデータを作成する削除部を備えてなることを特徴とする請求項１乃至３のいずれか１項に記載の情報提供システム。
【請求項５】
上記作成手段は上記抽出手段の提供情報取得部により取得された情報の一部又は全部をインターネット上で提供可能な形式に変換して画像データを作成する変換部と、
上記変換部において作成された画像データをインターネット上で提供するための所定の形式からなるデータを作成する画像提供部と、を備えてなることを特徴とする請求項１乃至４のいずれか１項に記載の情報提供システム。
【請求項６】
上記画像提供部は上記受信手段が新たにファクシミリデータを受信した場合に、上記受信時においてインターネット上で提供している画像データの数が予め決められた数に達していれば、上記受信時において提供している画像データのうち少なくとも１つに替えて上記新たに受信されたファクシミリデータに対応する画像データを提供するための上記所定の形式からなるデータを作成することを特徴とする請求項５に記載の情報提供システム。
【請求項７】
上記作成手段は上記受信手段が新たにファクシミリデータを受信した場合に、上記ファクシミリデータの発信元と、上記受信時において上記所定の形式からなるデータによりインターネット上で提供している画像データに対応する発信元とを比較する比較部を備えてなり、
上記画像提供部は上記比較部において発信元が同一であると判断された場合には、上記受信時においてインターネット上で提供している画像データのうち上記発信元に対応する画像データに替えて上記新たに受信したファクシミリデータに対応する画像データを提供するための所定の形式からなるデータを作成し、発信元が異なると判断された場合には、上記インターネット上で提供している画像データのうち少なくとも１つに替えて新たに受信したファクシミリデータに対応する画像データを提供するための所定の形式からなるデータを作成することを特徴とする請求項６に記載の情報提供システム。
【請求項８】
上記画像提供部は上記比較部において発信元が異なると判断された場合には、上記インターネット上で提供している画像データのうち最も古い画像データに替えて新たに受信したファクシミリデータに対応する画像データを提供するための所定の形式からなるデータを作成することを特徴とする請求項７に記載の情報提供システム。
【手続補正２】
【補正対象書類名】明細書
【補正対象項目名】０００８
【補正方法】変更
【補正の内容】
【０００８】
また、上記情報サーバ装置が上記領域情報を上記ファクシミリデータの発信者と関連づけて格納してなるデータベースを備えてなり、上記抽出手段が上記受信手段により受信されたファクシミリデータから該ファクシミリデータの発信者を特定するための識別情報を取得する識別情報取得部と、上記識別情報取得部により取得された識別情報に対応した領域情報を上記データベースを参照することにより取得する領域情報取得部と、を備えてなることを特徴として構成されている。
【手続補正３】
【補正対象書類名】明細書
【補正対象項目名】００１１
【補正方法】変更
【補正の内容】
【００１１】
また、上記作成手段は上記抽出手段の提供情報取得部により取得された情報の一部又は全部をインターネット上で提供可能な形式に変換して画像データを作成する変換部と、上記変換部において作成された画像データをインターネット上で提供するための所定の形式からなるデータを作成する画像提供部と、を備えてなることを特徴として構成されている。
【手続補正４】
【補正対象書類名】明細書
【補正対象項目名】００１２
【補正方法】変更
【補正の内容】
【００１２】
さらに、上記画像提供部は上記受信手段が新たにファクシミリデータを受信した場合に、上記受信時においてインターネット上で提供している画像データの数が予め決められた数に達していれば、上記受信時において提供している画像データのうち少なくとも１つに替えて上記新たに受信されたファクシミリデータに対応する画像データを提供するための上記所定の形式からなるデータを作成することを特徴として構成されている。
【手続補正５】
【補正対象書類名】明細書
【補正対象項目名】００１３
【補正方法】変更
【補正の内容】
【００１３】
また、上記作成手段は上記受信手段が新たにファクシミリデータを受信した場合に、上記ファクシミリデータの発信元と、上記受信時において上記所定の形式からなるデータによりインターネット上で提供している画像データに対応する発信元とを比較する比較部を備えてなり、上記画像提供部は上記比較部において発信元が同一であると判断された場合には、上記受信時においてインターネット上で提供している画像データのうち上記発信元に対応する画像データに替えて上記新たに受信したファクシミリデータに対応する画像データを提供するための所定の形式からなるデータを作成し、発信元が異なると判断された場合には、上記インターネット上で提供している画像データのうち少なくとも１つに替えて新たに受信したファクシミリデータに対応する画像データを提供するための所定の形式からなるデータを作成することを特徴として構成されている。
【手続補正６】
【補正対象書類名】明細書
【補正対象項目名】００１４
【補正方法】変更
【補正の内容】
【００１４】
また、上記画像提供部は上記比較部において発信元が異なると判断された場合には、上記インターネット上で提供している画像データのうち最も古い画像データに替えて新たに受信したファクシミリデータに対応する画像データを提供するための所定の形式からなるデータを作成することを特徴として構成されている。
【手続補正７】
【補正対象書類名】明細書
【補正対象項目名】００１５
【補正方法】削除
【補正の内容】
【手続補正８】
【補正対象書類名】明細書
【補正対象項目名】００１６
【補正方法】削除
【補正の内容】
【手続補正９】
【補正対象書類名】明細書
【補正対象項目名】００１７
【補正方法】削除
【補正の内容】
【手続補正１０】
【補正対象書類名】明細書
【補正対象項目名】００１８
【補正方法】削除
【補正の内容】
【手続補正１１】
【補正対象書類名】明細書
【補正対象項目名】００１９
【補正方法】削除
【補正の内容】
【手続補正１２】
【補正対象書類名】明細書
【補正対象項目名】００２０
【補正方法】削除
【補正の内容】